(57)【要約】【課題】ビルの壁面や道路の防音壁等の垂直面に対し、灌水装置等の手段を必要とせずに自然雨、陽光、通風が満遍無く行き渡り易く、且つ、培土崩落を防止しつつ植物を維持することができる緑化用のユニットを提供すること。【解決手段】設置状態で少なくとも上面及び正面が開口する枠体６と、表面に植栽面５を有し、前記枠体６の空室Ｓ内に所定間隔を空けて並設した複数の容器１とからなり、前記枠体６を正面側から見た時、各容器１は植栽面５を傾斜した状態で枠体６に固定されている構成を採用した植栽培土容器ユニット７。【選択図】図１
2008035787.tif 000002
【特許請求の範囲】
【請求項１】
設置状態で少なくとも上面及び正面が開口する枠体（６）と、
表面に植栽面（５）を有し、前記枠体（６）に取り付けられた容器（１）とからなり、
前記容器（１）は植栽面（５）を傾斜した状態で枠体（６）に固定されていることを特徴とする植栽培土容器ユニット。
【請求項２】
容器（１）は、枠体（６）の空室（Ｓ）内に複数個が所定間隔を空けて並設され、
前記枠体（６）を正面側から見た時、各容器（１）は植栽面（５）を傾斜した状態で枠体（６）に固定されていることを特徴とする請求項１に記載の植栽培土容器ユニット。
【請求項３】
枠体（６）を正面側から見た時、容器（１）の植栽面（５）が見えるように前方又は後方に傾斜していることを特徴とする請求項１又は２に記載の植栽培土容器ユニット。
【請求項４】
容器（１）の枠体（６）への下端側固定部分が上端側固定部分より枠体の開口した正面側にあることを特徴とする請求項１乃至３のいずれか１項に記載の植栽培土容器ユニット。
【請求項５】
容器（１）の全部又は一部が、着脱自在の接続機構により取り外し自在となっていることを特徴とする請求項１乃至４のいずれか１項に記載の植栽培土容器ユニット。
【請求項６】
枠体（６）は少なくとも正面及び背面が開口し、それぞれの面に沿って複数の容器（１）が並べられたことを特徴とする請求項１乃至５のいずれか１項に記載の植栽培土容器ユニット。
【請求項７】
容器（１）の内部又は外部等に収納物の滑り止めとなる崩落防止部材（２）を設けたことを特徴とする請求項１乃至６のいずれか１項に記載の植栽培土容器ユニット。
【発明の詳細な説明】
【技術分野】
【０００１】
この発明は、各種構造物の壁面等に取り付けることにより簡単に緑化ができ、壁面での太陽光線の照り返し防止による温暖化現象の緩和と軽減、緑化植物によるＣＯ２削減や大気浄化、及び景観や環境の向上を図ることができるようにした植栽培土容器ユニットに関する。
【背景技術】
【０００２】
地球温暖化の防止、特に都市部におけるコンクリート面の照り返しによる温暖化現象を防止する手段として、ビルの屋上や平面スペース等の太陽が照りつける場所を植物で緑化することが有効であり、また、ビル所有者や土地所有者に一定の緑化を義務づける法整備も進みつつある。
【０００３】
このような緑化の要請に対して、ビルの屋上等のスペースに対して簡単に緑化を行うことができるように、植物を植栽した容器を並べて緑化する緑化装置が多数開発されてきている。
【０００４】
ところで、緑化装置は殆どが培土に植物を植栽して緑化するため、ビルの屋上等の水平面であれば水平に保った培土の上を植物により緑化できるが、ビルの壁や高速道路の防音壁等の垂直面に対しては、培土を垂直に保持できないので緑化をするのは困難であった。
【０００５】
そこで、本願出願人は以前、植物を植栽し得る培土入り植栽容器を着脱自在に保持する保持枠体を多数並べて設けた植栽用ホルダーを用い、枠体は植栽部の仰角が角度自在に同一方向になるよう設けて、これを植栽部を前方に向けて壁面等に立てかけることで壁面全体の緑化を図った緑化用植栽装置を提案した（特許文献１参照）。
【０００６】
また、格子状又は金網状の基枠に緑化用棚を多段状に配設し、緑化用棚の上に防水緑化容器を載置固定し、この防水緑化容器内に培土を収納して植物を植栽することで、基枠に沿って縦方向に多段状に緑化するようにした壁面植栽緑化装置が提案されている（例えば、特許文献２参照）。
【特許文献１】特開２００３−１３４９２７号公報
【特許文献２】特開２００４−２８３１１９号公報
【発明の開示】
【発明が解決しようとする課題】
【０００７】
ところで、上記した特許文献１や特許文献２での緑化装置のように、多段状となった各段に独立して培土を設けて植栽したものでは、雨水や太陽光や通風などの生育条件のうちで、図１５（ａ）（ｂ）に示すように、雨水の場合を一例として説明すると、垂直に落ちる雨水５２の場合、最上段にある容器５１には雨水５２が全面に当たり培土が水をため込んで植物が水を吸い良く繁茂するが、上段より下の段にある容器５１では、雨水５２がその上の段にある棚や容器に邪魔をされて入り込まず、仮に風雨により前方から吹き込む雨５３があっても、最上段の容器全面に雨水５３が当たるのに比べて下段の容器５１には雨水５３は容器の最前部付近にのみ当たり大量には吹き込まず、下段部の培土は上段部の培土に比べて水の貯水量が低くなり、植物の生育に上段部の容器の植物との差が生じてしまう。
【０００８】
上下段の植物の生育に差によって緑化装置の上下で緑化度合いに差が生じたり、下段の植物のみが枯れてしまったりすると、見た目の美観が低下してしまうので、下段の容器５１を取り替える必要がある。
【０００９】
また、段の間隔を広くすることで、下段の容器５１に前方から吹き込む雨水５３や前方から差し込む太陽の光をできるだけ取り入れるようにすることも考えられるが、段の間隔を広くすると、見た目の緑化密度が低下し、十分な緑化効果を得られないことになる。
【００１０】
これら下段の植物の生育不良や枯れを防止するために、灌水装置を用いて雨水５２，５３が十分入り込まない下段の容器５１にも水を十分行き渡らせることも考えられるが、灌水装置は高価であり、ビル壁面や高速道路の防音壁等、広い面積にわたって灌水装置付きの緑化装置を設置するのはコスト及びメンテナンスの点で実現性が薄いものであった。
【００１１】
そこで、この発明の課題は、ビルの壁面、塀、防護柵、歩道橋の欄干、手すり、道路の防音壁や分離帯等の垂直面に対し、灌水装置等の手段を必要とせずに、上部や下部や中部のいずれの位置に置いても、雨水や太陽光や通風が均等に行きわたるようにして、配置位置により植物の生育に差が生じないようにするとともに、しかも安価な緑化用の植栽培土容器ユニットを提供することを主な目的とする。
【課題を解決するための手段】
【００１２】
上記のような目的を解決するため、請求項１の植栽培土容器ユニットは、設置状態で少なくとも上面及び正面が開口する枠体と、表面に植栽面を有し、前記枠体に取り付けられた容器とからなり、前記容器は植栽面を傾斜した状態で枠体に固定されていることを特徴とする。
【００１３】
請求項２の植栽培土容器ユニットは、上記請求項１に記載の植栽培土容器ユニットにおいて、容器は枠体の空室内に複数個が所定間隔を空けて並設され、前記枠体を正面側から見た時、各容器は植栽面を傾斜した状態で枠体に固定されていることを特徴とする。
【００１４】
請求項３の植栽培土容器ユニットは、上記請求項１又は２に記載の植栽培土容器ユニットにおいて、枠体を正面側から見た時、容器の植栽面が見えるように前方又は後方に傾斜していることを特徴とする。
【００１５】
請求項４の植栽培土容器ユニットは、請求項１乃至３のいずれか１項に記載の植栽培土容器ユニットにおいて、容器の枠体への下端側固定部分が上端側固定部分より枠体の開口した正面側にあることを特徴とする。
【００１６】
請求項５の植栽培土容器ユニットは、請求項１乃至４のいずれか１項に記載の植栽培土容器ユニットにおいて、容器の全部又は一部が、着脱自在の接続機構により取り外し自在となっていることを特徴とする。
【００１７】
請求項６の植栽培土容器ユニットは、請求項１乃至５のいずれか１項に記載の植栽培土容器ユニットにおいて、枠体は少なくとも正面及び背面が開口し、それぞれの面に沿って複数の容器が並べられたことを特徴とする。
【００１８】
請求項７の植栽培土容器ユニットは、請求項１乃至６のいずれか１項に記載の植栽培土容器ユニットにおいて、容器の内部又は外部等に収納物の滑り止めとなる崩落防止部材を設けたことを特徴とする。
【発明の効果】
【００１９】
本発明の請求項１に記載の発明によれば、枠体の上面と正面側が開口し、表面に植栽面を有する容器が前記枠体に取り付けられ、かつ各容器の植栽面は傾斜しているので、灌水装置なしで容器内の植物の生育に差を生じることなく均等に生育できる。
【００２０】
例えば雨水について言えば、枠体上面から吹き込んだ雨水は、各容器の傾斜した上方付近の培土に浸透した後、重力により傾斜に沿って容器下方にある培土まで染み込んでいき、別途高価な灌水装置を必要とせずに自然の雨水だけで容器の上部から下部まで水が十分に行き渡り、低コストでメンテナンスフリーの緑化用の植栽培土容器ユニットとなる。
【００２１】
なお、傾斜角は、上記雨水の容器下方への導入と、培土の崩落防止とを考慮しつつ、適宜角度に設定するのが好ましく、約３０〜６０°の範囲で適宜決定するのが好ましいが、この角度に限定されるものではない。
【００２２】
請求項２に記載の発明によれば、容器は枠体の空室内に複数個が所定間隔を空けて並設され、かつ各容器の植栽面は傾斜しているので、上記請求項１の効果である枠体上面から吹き込んだ雨水に、枠体正面の各容器の間隙に吹き込んだ雨水も加わることになり、別途高価な灌水装置を必要とせずに自然の雨水だけで容器の上部から下部まで水が十分に行き渡ると共に、各容器の間隙によって陽光や風を受容できるため、各容器の植物の生育に差を生じることなく均等に生育できる。
【００２３】
また、枠体の背面側も開口しておけば、隣り合う容器の間隙に自然に風が通り、容器の傾斜している植栽面の向きを太陽の通り道方向に向けることで、太陽光も入り込み、植物が十分に生育することができる。
【００２４】
傾斜する植栽面を人目に付く方向に向けることにより、例えば、高速道路における路側帯側の防音壁の場合、左向きに植栽面を揃えることで（左側通行の場合）、車の進行方向に向いた場合、緑が連続して視野に入ることになる。
【００２５】
更に、傾斜する容器群により斜めのストライプ状の模様が発生し、デザイン上のアクセントになると共に、単体のユニットの組み合わせ方法により、全体として種々のデザインを得ることができる。
【００２６】
請求項３に記載の発明によれば、上記請求項１又は２の効果に加え、容器の植栽面が正面側を向くように傾斜しているので、枠体を真正面から見た場合に、容器間のスリットの面積が減少し、植栽面が見えることによる緑化面積が大きくなると共に、正面側から吹き込んだ雨水が植栽面に当たりやすく、かつ、正面側から照る日光も当たりやすくなり、植物の生育に更に有効となる。
【００２７】
また、上記請求項２に記載の容器の傾斜だけでは、容器内に収納された培土等の重量の全てが容器下端部に向かってかかるので、傾斜角によっては容器内の培土等が一気に崩落を起こすおそれがあるのに対し、請求項２の構成のように、容器を正面側に傾けることで、容器内に収納された培土等の重量は、容器の側辺にも分散してかかることになり、容器内の培土等の崩落防止効果も生じることになる。
【００２８】
更に、枠体の背面側も開口しておけば、背面側の斜め上方向から照る太陽光が上下の容器の間隙に平行に入り込み、容器の奥側から表側まで全面に太陽光が当たるという利点もある。
【００２９】
請求項４に記載の発明によれば、上記請求項１乃至３のいずれかの効果に加え、上からまっすぐに降りてくる雨水や太陽光や風が当たりにくい容器の下部が外方に出ているので、容器下部の植物まで雨水や太陽光や風がより行き渡りやすくなり、各植栽面の植物の生長に寄与する。
【００３０】
請求項５の発明によれば、容器の全部又は一部が枠体に対して着脱自在であるので、容器のみを植物の生育に最適な環境にて十分に成長させてから枠体に組み込んで設置することができ、また、万が一枯れた植物が出た場合、建造物の壁面等に枠体を設置状態のまま該当容器のみを取り外して新たな容器に変えることができるようになる。
【００３１】
請求項６に記載の発明によれば、枠体の正面及び背面にそれぞれ容器の列が並んでいるので、両側から緑化した植栽面が見えるようになり、道路の中央分離帯や、歩道橋の欄干等、両側が人目に付く場所の緑化に好適である。
【００３２】
また、正面及び背面で容器を互い違いに交差するようにすれば、格子状となるデザイン上の効果が得られると共に、例えば、道路の中央分離帯等に使用すれば、走行中の両側の車から同様の緑化効果が得られる。
【００３３】
請求項７に記載の発明によれば、容器の内部又は外部等に設けられた収納物の滑り止めとなる崩落防止部材、例えば外部に設けた帯状等の板や内部底面から上部に突出する突起や内部に固定された網ラス等が、容器を傾けた際に容器の収納物である植栽された植物とその培土の滑り止めとなって培土等を保持するので、容器の各方向への傾斜角度を大きくすることができ、傾斜角度の設定の自由度が向上することになる。
【発明を実施するための最良の形態】
【００３４】
図１は、この発明の第１実施形態の植栽培土容器ユニットを示すもので、植物の生育により植栽面５が形成され、一方の辺の長さが他方の辺の長さより長い長尺状となっている容器１を枠体６に取り付けた植栽培土容器ユニット７の完成図を示している。枠体６は、丸、角材又はＬ字型材を組み付けて矩形状にしたもので、垂直面となる面積の広い長方形の正面及び背面の主面に対し、両主面間の上面、下面、両側面は主面に対して寸法が短くなっている。前記枠体６の空室Ｓ内には所定間隔を空けて複数の各容器１が並設してある。
【００３５】
容器１は複数個用意され、それぞれが、各容器は枠体６に固定され、その枠体６への取り付け位置により寸法や形状が複数種類用意されている。すなわち、容器１は、両端部が枠体６の上面と下面に固定される容器１aと、上端部が枠体６の上面に、下端部が枠体６の側面に取り付けられる容器１bと、及び、上端部が枠体６の側面に、下端部が枠体６の下面に取り付けられる容器１cとがあり、容器１b、１cは更に寸法が違う数種類のものが用意されている。
【００３６】
容器１aの両端部、容器１bの上端部、及び容器１cの下端部は、その上部又は下部を枠体６の上面及び下面に斜め方向に設けられた桟材８に適宜手段にて取り付けられ、容器１bの下端部、及び容器１cの上端部は枠体６の側面に斜め方向に設けられた桟材９に適宜手段にて取り付けられている。
【００３７】
全ての容器１a、１b、１cは傾斜した状態で等間隔に並んで枠体６に固定されることで、枠体６を正面から見た時、植物が生育している植栽面５が水平面に対して角度αだけ傾斜した状態となっている。
【００３８】
また、枠体６を側面から見た時、各容器１a、１b、１cの植栽面５の法線は垂直線に対して角度βだけ正面側に傾斜しており、更に、各容器１a、１b、１cの長さ方向に沿った軸線は、垂直線に対して角度γだけ傾斜角を有して下方が上方より前方に出ている。
【００３９】
角度αにより、雨水は枠体６の上面開口部を通じて各容器１a、１b、１cの上方に当たって培土に染み込んだ後、重力により各容器１a、１b、１cの培土中を浸透してゆき下方まで達するので、容器下方にある培土３まで十分に水分が行き渡り、各容器の上下で植物の生育の差がなくなる。
【００４０】
また、角度βにより、各容器１a、１b、１cの植栽面５は正面側を向き、正面から見た時の緑の面積が増加すると共に、正面側から吹き込む雨や正面側から照る太陽光が植栽面５に十分達すると共に、培土の重量が各容器１a、１b、１cの側辺に分散してかかるので培土の崩落防止効果も有し、更には、裏面側斜め上方向から照りつける太陽光が容器１等の間隙を通じて植栽面５の全面を照らすことができ、植物の生育に好影響を与えることになる。
【００４１】
更に、角度γにより、雨水が直接当たりにくい各容器１a、１b、１cの下部が正面側にせり出しているので、本来は直上にある隣の容器によって雨水が当たりにくい容器下部の培土に雨水が直接当たりやすくなる。
【００４２】
なお、この実施形態の植栽培土容器ユニット７では、角度αを約４０°、角度βを約３５°、角度γを約５°程度としたが、角度α、β、γの値は特に限定されるものではなく、植栽面５の崩落を防止できる範囲内で、植物の生育や天候等、及び、景観や美観等を考慮し、適宜選択して行うことができる。
【００４３】
また、この実施形態の植栽培土容器ユニット７の大きさ及び形態も特に限定されるものではなく、ビルの壁面、塀、防護柵、歩道橋の欄干、手すり、道路の防音壁や分離帯等、使用される場所に応じて適宜な大きさ及び形態にして実施することができる。
【００４４】
更に、容器１や枠体６の材質、形状及び構造も、図示のものに限定されることなく、この発明の目的の範囲内で適宜変更して実施することができ、例えば、枠体６はその稜線部を角材又はＬ字型材を用いて形成しているが、枠体６をパイプ状のものや網状のもので形成したり、平板を組み立てて形成するといったことも可能であり、平板を組み立てて枠体とする場合は、少なくとも緑化状態を見せるための主面の正面側と、雨水が容器に入り込むための上面は開口するようにすれば良い。
【００４５】
また、高さが比較的高い壁面等の緑化においては、この植栽培土容器ユニットを上下に積み上げて多段状で使用しても良く、その場合は、重なった下の段のユニットにも上面から雨水が吹き込むように、各ユニットの下面も開口させておくのが好ましい。
【００４６】
この実施形態の植栽培土容器ユニット７では枠体６は矩形状であったが、枠体の形状は矩形状には限定されず、例えば、枠体を正面から見た時に側面が角度αと同じ角度で傾斜した平行四辺形となるようにすれば、容器は全て枠体６の上面と下面に対して固定することができ、全て同じ形状と寸法の容器１のみを用いて低コストで実施するといったことも可能である。
【００４７】
図２及び図３は、この発明の植栽培土容器ユニットに用いる容器１の具体例を示すものであり、図２（ａ）に示す第１例は、容器１を傾斜させた時に収納された培土が滑り落ちないようにする崩落防止部材２として内部に金網等からなる網ラス４１を折り曲げて挿入固定しておき、その上から培土３を収納している。
【００４８】
図２（ｂ）に示す第２例は、金属製からなる容器の底部にプレス等で上方へ押し上げて崩落防止部材２となる突起４２を設け、この突起４２が容器１に収納される培土の滑り止めの役目を果たしたものであり、合成樹脂等で容器１を作成する場合、一体成形する際に容器１の底面形成と同時に突起４２を突設するようにしても良い。
【００４９】
なお、この第２例は、金属製底部へのプレスにより突起４２を設けると共に、突起４２の側部に抜け穴４３が開いており、この抜け穴４３を通じて培土への外部空気の流通が生じるので、植物への生育に有効となる。
【００５０】
また、図中の突起４２はその盛り上がり部分が容器１の幅方向に平行となるように設けたが、その向きは特に限定されず、容器１の長さ方向、又は斜め方向等適宜方向に向けて設けることができる。
【００５１】
図３（ｃ）に示す第３例は、容器１の上面には、崩落防止部材２として、鋼板又は任意の素材からなり、その両端部が容器側面に接続固定され、かつ容器上面に対して傾斜角を有する帯状等の崩落防止板４４が所定の隙間を有して容器１の上面全面にわたって複数設けられている。
【００５２】
この崩落防止板４４群が、容器１内に収納された培土３を押さえたり、培土表面の小さな小石が下へ流れ落ちるのを堰き止めたりすることにより、培土３の崩落防止の役目を果たしており、培土３に植栽された植物は、崩落防止板４４の隙間から外に出ることで緑化効果を生じ、この緑化効果を損なわない範囲内で、崩落防止板４４の折り曲げた傾斜角度や設置する場合の間隔及び形態等を任意に設定することができる。
【００５３】
また、容器１の上端部には、一点鎖線で示すように、集水板４５を設けることで、雨水を容器内に導入するようにしても良く、また、崩落防止板４４群は、上下開口した枠体状の蓋４６に設けておき、図中二点鎖線で示す底部４７に嵌め込んで、蓋４６と底部４７を一体として容器を構成するようにすれば、先に底部４７に培土３を導入しておくことで崩落防止板４４が培土３の導入時の邪魔にならない。
【００５４】
また、図３（ｄ）の第４例のように、崩落防止部材２として、容器１と同等程度の大きさの網状の布袋４８内に培土３を挿入して保形しつつ容器１内に挿入し、培土の滑り止めの役目をするものもある。
【００５５】
そして、図２及び図３で例示した容器１に、培土３の中に植物の種を入れるか発芽した植物を植えることにより、図１に示す容器１のように、上面に緑化された植栽面５を形成すると共に、容器１に崩落防止部材２として網ラス４１、突起４２、崩落防止板４４、又は布袋４８を用いることで、枠体６に取り付けられて傾斜した容器１内の培土３の滑り止めとなり、培土３の崩落を防止することで植栽面５を保持することができる。
【００５６】
なお、崩落防止部材２としては、図２及び図３で示した網ラス４１等の他、図示しないが、容器に収納された培土の上からネット状、又は網状の部材を被せて容器に取り付けることで培土３と植栽面５を保持する崩落防止部材とすることもできる。  
【００５７】
図４は、この発明の第２実施形態の植栽培土容器ユニットを示すもので、植物の生育により植栽面５が形成された容器１０を枠体１１の正面及び背面両面に沿って交差状に配列した植栽培土容器ユニット１２の完成図を示している。枠体１１は、角材又はＬ字型材を組み付けて矩形状にしたもので、図１のものと同様、垂直面となる面積の広い長方形の正面及び背面に対し、両面間の上面、下面、両側面は正面及び背面面に対して寸法が短くなっている。
【００５８】
なお、この第２実施形態における各容器１０ユニットも、図２及び図３で示した容器１と同様の構成とすることができる。
【００５９】
容器１０は複数個用意され、各容器の長辺側両端部が枠体１１の正面及び背面に沿って等間隔で取り付けられており、その枠体１１への取り付け位置により寸法や形状が複数種類用意されている。すなわち、この場所の容器１０は、両端部が枠体１１の上面と下面に幅方向に設けられた桟材１３に固定される容器１０aと、上端部が枠体１１の上面の桟材１３に、下端部が枠体１１の側面に幅方向に設けられた桟材１４に固定された容器１０bと、及び、上端部が枠体１１の側面の桟材１４に、下端部が枠体１１の下面の桟材１３に固定された容器１０cとがあり、容器１０b、１０cは更に寸法が違う数種類のものが用意されている。
【００６０】
枠体１１のそれぞれの主面に沿って設けられた各容器群は、各正面及び背面から見て左下がりの傾斜角度αを有しており、一方正面及び背面から見た場合、容器が交差する状態となっている。
【００６１】
なお、この実施形態の植栽培土容器ユニット１２では、図１における容器１が有する角度α、β、γのうち、角度βを取らずに０°としたが、正面及び背面両面の容器１０に角度βを適宜設定し、両面側から植栽面５が広く見えるようにしても良い。
【００６２】
また、この植栽培土容器ユニット１２では、両面から容器１０の植栽面５が見えるので、両側の主面が人目に付く、例えば、道路の中央分離帯、自動車道路と歩道との境の手すり、横断歩道橋の欄干等に好適に使用することができる。
【００６３】
図５は、図１で示す植栽培土容器ユニット７を道路の歩道側手すりに設けた実施形態を示すものであり、図６は、図４で示す植栽培土容器ユニット１２を欄干に使用した実施形態を示すものであり、それぞれ支柱１５間に適宜手段にて固定するようにしている。
【００６４】
図７は、高速道路の路側帯外側に植栽培土容器ユニット７を使用した例を示すもので、透明なポリカーボネイト製の透視部を持った防音壁１６の下部に植栽培土容器ユニット７を並べたものである。
【００６５】
図８は横断歩道橋１７の欄干に植栽培土容器ユニット７を並べて使用した例を示すものであるが、横断歩道橋１７の欄干は、歩道を渡る人と横断歩道橋を外から見る人の両方から目につくので、ユニットの両側から見て緑化効果のある図４で示した植栽培土容器ユニット１２を使用することもできる。
【００６６】
（第１変形例）
図９は、植栽培土容器ユニットの容器を枠体に対して着脱自在とした第１変形例を示すもので、この実施例の植栽培土容器ユニット２０は、容器２１を枠体に対して着脱自在としたものであり、枠体２２の上面、下面、及び側面に設けられた桟材２３には、内側に溝２４が設けられており、容器２１の上端部及び下端部には、この溝２４に嵌合するレール２５が設けられている。
【００６７】
容器２１を枠体２２に装着する際は、枠体２２の正面又は背面側から容器２１の上下端部に取り付けられたレール２５を桟材２３の溝２４に嵌めてそのまま溝２４に沿って挿入すれば、容器２１は枠体２２内で所定の位置に納まる。
【００６８】
この場合、枠体２２に対する桟材２３の取付位置、容器２１の寸法と種類、及び上下端のレール２５の取り付け位置や角度を適宜設定することで、図１で示した容器の取付角度α、β、γを有する植栽培土容器ユニット７と同様な機能を有する植栽培土容器ユニット２０となる。
【００６９】
（第２変形例）
図１０は、植栽培土容器ユニットの容器の一部を枠体に対して着脱自在とした第２変形例を示すもので、この場合の植栽培土容器ユニット２６は、枠体２７の上面、下面、及び側面に設けられた斜め方向に設けられた桟材２８には、容器の一部としての容器支持枠２９が固定されている。
【００７０】
この容器支持枠２９に合致するような形状で、内部に培土と植物を収納した容器上部３０を、枠体２７上面や一方の側面から容器支持枠２９に沿って挿入し、図示しない適宜手段にて容器支持枠２９と容器上部３０とを固定すれば、図１で示した容器の取付角度α、β、γを有する植栽培土容器ユニット７と同様な機能を有する植栽培土容器ユニット２６となる。
【００７１】
この実施例の場合、枠体２７の上面から容器支持枠２９に容器上部３０を滑らせながら嵌め込んでいくだけで所定の位置に容器が固定されることになり、枠体２７に対する植栽面５の取替が容易になる。
【００７２】
なお、容器支持枠２９は図示のものに限定されず、両側部にＬ字型材を上下に渡して、両側のＬ字型材で容器上部を受けるようにすることもできる。
【００７３】
（第３変形例）
図１１は、図１０で示した第２変形例と同様の枠体と容器支持枠とを組み合わせた第３変形例を示すもので、枠体３１の上面、下面、及び側面に設けられた横方向の桟材３２に、容器支持枠３３が設けられているが、図１で示した容器の設置角度α、β、γのうち、角度βを取らずに、角度α及び角度γのみ設定した実施例である。
【００７４】
この実施例の枠体３１と容器支持枠３３を組み合わせた植栽培土容器ユニットは、例えば高速道路の路側帯の防音壁等で、車の進行方向反対側に植栽面を向けて設置するようにすれば良く、植栽面が正面側をあまり向かなくても良い場所に使用できる。
【００７５】
（第４変形例）
図１２は、図１０、図１１で示した変形例２及び３と同様の枠体と容器支持枠とを組み合わせた第４変形例を示すもので、枠体３４に直接に容器支持枠３５が固定されているが、図１で示した容器の設置角度α、β、γのうち、角度β及び角度γを取らずに、角度αのみ設定した実施例である。
【００７６】
この変形例４の枠体３４と容器支持枠３５を組み合わせた植栽培土容器ユニットも、変形例３のように植栽面が正面側をあまり向かなくても良い高速道路の路側帯の防音壁等に使用することができると共に、表裏対称形であるので、両側が人目に付く中央分離帯や歩道橋の欄干等に使用できる。
【００７７】
（第５変形例）
図１３（ａ）、（ｂ）は、枠体に１つの容器が設けられた変形例を示すものであり、この植栽培土容器ユニット３６は、枠体３７に一つの容器３８が設けられており、容器３８は崩落防止部材として図３（ｃ）で示した崩落防止板４４が設けられて培土３の崩落を防止しつつ正面側に約９０°近く傾斜させた状態で枠体３７に適宜手段で固定され、正面側から植栽面５が良く見えるようになっている。
【００７８】
この植栽培土容器ユニット３６では、容器３８の枠体３７への下端固定部分が上端固定部分より枠体３７の開口した正面側にあり、容器３８の側面に沿った軸線は、垂直線に対して角度γだけ傾斜角を有して下方が上方より前方に出ているので、この角度γにより、雨水が直接当たりにくい容器３８の下部の培土３に上から降る雨水が直接当たりやすくなる。
【００７９】
また、この角度γの直角（９０°）との差（９０°−γ）の角度（図示せず）が容器３８の植栽面５が水平状態から立ち上がった角度を示し、図１や図４における容器１又は１０の正面から見た設置角度αの作用と同様に、容器３８の上方に当たって培土に染み込んだ雨水を重力により培土３中を浸透してゆき下方まで導き、容器３８の下方にある培土３にまで十分に水分を行き渡らせて容器３８の上下で植物の生育の差をなくす作用も有する。
【００８０】
また、側面から見た時、容器３８の植栽面の法線は垂直線に対して（９０°−γ）の角度（図示せず）だけ正面側に傾斜しており、この角度が図１における容器１の側面から見た設置角度βと認識することもでき、容器３８の植栽面５は正面側を向き、正面から見た時の緑の面積が増加すると共に、正面側から吹き込む雨や正面側から照る太陽光が植栽面５に十分達することになる。
【００８１】
（第６変形例）
図１４は、図１３の第５変形例と同様の植栽面５の配置角度であるが、枠体に複数の容器を設けた変形例を示すものであり、この植栽培土容器ユニット３９は、枠体４０に正面からみて５つの容器３８が並設されており、各容器３８は図１３のものと同様に、崩落防止部材として崩落防止板４４が設けられて培土３の崩落を防止しつつ正面側に約９０°近く傾斜させた状態で枠体４０に適宜手段で固定されている。
【００８２】
この植栽培土容器ユニット３９の作用・効果は図１３の第５変形例と同様であるが、容器３８が複数個あるので各容器３８が小型化され、着脱機構を介しての取り付け、取り外しが容易になる。
【図面の簡単な説明】
【００８３】
【図１】この発明の第１実施形態の植栽培土容器ユニットを示すもので、（ａ）は正面図、（ｂ）は平面図、（ｃ）は側面図である。
【図２】この発明の植栽培土容器ユニットに用いる容器の具体例を示すもので、（ａ）は第１例の容器の斜視図、（ｂ）は第２例の容器の斜視図である。
【図３】この発明の植栽培土容器ユニットに用いる容器の具体例を示すもので、（ｃ）は第３例の容器の斜視図、（ｄ）は第４例の容器の斜視図である。
【図４】この発明の第２実施形態の植栽培土容器ユニットを示すもので、（ａ）は正面図、（ｂ）は平面図、（ｃ）は側面図である。
【図５】この発明の植栽培土容器ユニットの第１使用例を示す正面図である。
【図６】この発明の植栽培土容器ユニットの第２使用例を示す正面図である。
【図７】この発明の植栽培土容器ユニットの第３使用例を示す斜視図である。
【図８】この発明の植栽培土容器ユニットの第４使用例を示す斜視図である。
【図９】この発明の植栽培土容器ユニットの変形例１を示す斜視図である。
【図１０】この発明の植栽培土容器ユニットの変形例２を示す斜視図である。
【図１１】この発明の植栽培土容器ユニットの変形例３を示す斜視図である。
【図１２】この発明の植栽培土容器ユニットの変形例４を示す斜視図である。
【図１３】この発明の植栽培土容器ユニットの変形例５を示すもので、（ａ）は斜視図、（ｂ）は拡大縦断面図である。
【図１４】この発明の植栽培土容器ユニットの変形例６を示す斜視図である。
【図１５】従来の壁面用緑化装置を示すもので、（ａ）、（ｂ）は側面図である。
【符号の説明】
【００８４】
１（１a、１b、１c）  容器
２  崩落防止部材
３  培土
５  植栽面
６  枠体
７  植栽培土容器ユニット
１０（１０、１０b、１０c)  容器
１１  枠体
１２  植栽培土容器ユニット
２０、２６  植栽培土容器ユニット
Ｓ  空室
【図１】
2008035787.tif 000003
【図２】
2008035787.tif 000004
【図３】
2008035787.tif 000005
【図４】
2008035787.tif 000006
【図５】
2008035787.tif 000007
【図６】
2008035787.tif 000008
【図７】
2008035787.tif 000009
【図８】
2008035787.tif 000010
【図９】
2008035787.tif 000011
【図１０】
2008035787.tif 000012
【図１１】
2008035787.tif 000013
【図１２】
2008035787.tif 000014
【図１３】
2008035787.tif 000015
【図１４】
2008035787.tif 000016
【図１５】
2008035787.tif 000017